(57)【特許請求の範囲】
【請求項１】
複数地区に渡って火災監視を行う火災報知システムに接続され、表示画面に監視状況に関する表示を行う火災表示装置において、
前記表示画面を分割して第１〜第４表示窓部を生成する画面分割手段と、
第３表示窓部に次のｉ、iiの内容を含んだリスト表示を行うリスト表示手段と、
ｉ  発報のあった地区を示す識別記号をそれぞれ表示する複数のリスト枠
ii  発報のあった地区の数が前記リスト枠の数を上回った場合に、指示操作により少なくとも１個のリスト枠に表示される発報地区の識別記号を発報順にずらすスクロール手段
前記リスト表示内の複数のリスト枠の何れかを選択可能とする選択手段と、
該選択手段により選択されたリスト枠に対応する発報地区の概観表示を第２表示窓部に、選択されたリスト枠に対応する発報地区の直上地区の概観表示を第１表示窓部に、選択されたリスト枠に対応する発報地区の直下地区の概観表示を第４表示窓部に、それぞれ表示する地区概観表示手段と
を備えたことを特徴とする火災表示装置。
【請求項２】
前記複数のリスト枠には、
常に第１番目の発報のあった地区に対応する第１発報地区リスト枠と、
常に第２番目の発報のあった地区に対応する第２発報地区リスト枠と、
第３番目以降の発報地区に対応し、前記スクロール手段により対応する地区がずらされる第３発報以降リスト枠と
が含まれていることを特徴とする請求項１記載の火災表示装置。
【請求項３】
発報のあった地区が復旧された場合に、該地区以降に発報した地区の発報の順番を繰り上げると共に、該繰り上げに基づいて前記複数のリスト枠と発報地区との対応関係を自動的に変更する更新手段と、
発報のあった地区が復旧されて発報地区の数が前記リスト枠の数以下になった場合に前記スクロール手段を消去するボタン消去手段と
を備えたことを特徴とする請求項１又は２に記載の火災表示装置。
【請求項４】
タッチスイッチ式の複数の操作スイッチが表示される表示パネル部、および、前記操作スイッチをタッチすることで火災報知システムの設定操作を行う設定手段を備えた受信機に接続された場合に、前記表示画面に次のiii、ivの内容を含んだスイッチ表示窓を表示するスイッチ表示窓表示手段と、
iii 前記受信機の複数の操作スイッチにそれぞれ対応し、それぞれオン／オフが選択操作可能な複数のチェック枠
iv  前記複数のチェック枠のオン／オフの選択を確定させる確定ボタン
前記複数のチェック枠に選択されたオン／オフの情報に応じて、これらチェック枠に対応した前記操作スイッチをオン／オフさせる操作スイッチ変換信号を生成する信号生成手段と、
前記スイッチ表示窓の確定ボタンの指示操作に基づき、該指示操作時でのチェック枠の選択に応じた操作スイッチ変換信号を受信機に送信して、前記複数のチェック枠の選択を前記受信機の操作スイッチに反映させる操作スイッチ変更手段と
を備えたことを特徴とする請求項１〜３の何れかに記載の火災表示装置。
【請求項５】
前記スイッチ表示窓表示手段は、前記表示画面に火災の監視状況に関する何れの表示が行われている場合でも、前記スイッチ表示窓を表示可能であることを特徴とする請求項４記載の火災表示装置。
【請求項６】
前記スイッチ表示窓は、少なくとも移信信号の停止に係る移信停止グループ、消火栓の連動停止に係る消火栓連動停止グループ、防排煙機器の連動停止に係る防排煙連動停止グループの、各グループに前記複数のチェック枠を分類すると共に、各グループ毎に選択表示可能なタブ表示形式であることを特徴とする請求項４又は５に記載の火災表示装置。
【請求項７】
前記複数のチェック枠の何れかがオンの状態で、前記操作スイッチ変更手段により前記複数のチェック枠の選択が前記受信機の操作スイッチに反映された場合に、前記受信機に設けられたスイッチ注意灯が作動されることを特徴とする請求項４〜６の何れかに記載の火災表示装置。
【請求項８】
前記火災の監視状況に関する表示処理を終了する終了手段と、
該終了手段により表示処理が終了される前に、該終了を許可するパスワードの入力を要求するパスワード要求手段と
を備えたことを特徴とする請求項１〜７の何れかに記載の火災表示装置。
【発明の詳細な説明】
【０００１】
【発明の属する技術分野】
この発明は、火災監視を行う火災報知システムに接続されて、表示画面に火災監視の監視状況に関する表示を行う火災表示装置に関する。
【０００２】
【従来の技術】
一般的な火災報知システムは、例えば、複数の感知器や発信機、防排煙機器、消火機器および消火栓、並びに、これら端末機器を中継器や線路又は無線等を介して接続して制御する受信機等から構成される。そして、複数の感知器や発信機、防排煙機器および消火機器等を、複数の建物や建物の各階など複数の地区に渡って設置する一方、管理センターや管理ルーム等の中央に受信機を配置して複数地区に渡る火災の監視を一元的に行う。
近来では、火災報知システムに、ＣＲＴ（陰極線管）や液晶ディスプレー等の表示画面を有する表示装置（火災表示装置）を接続して、火災監視に関する情報を視覚的に認識できるようにしたシステムも開発されている。詳細には、火災表示装置を火災報知システムの受信機に接続して、相互でデータ送受信を可能とすると共に、受信機側から火災表示装置側に送られる火災監視状況を示す監視データに基づき表示画像を生成することで火災の監視状況の表示を行う。
【０００３】
従来、上記のような火災表示装置で行われる表示内容の１つに「出火フロア表示」というものがある。この「出火フロア表示」は、感知器や発信機が発報した際に、この発報があった地区（例えば某棟の某フロア）の概観図（間取り図など）や、該地区に設置された機器（感知器、発信機、防排煙機器および消火機器等）の記号表示およびそれらの作動状況を示す記号表示の色変更などを行うものである。
図８には、従来の火災表示装置に表示されるフロア縮小表示の画像図を示す。
また、同図（ａ）、（ｂ）に示すように、同様の表示内容に「フロア縮小表示」がある。この「フロア縮小表示」は、表示画面Ｐ５０を４分割すると共に各分割された分割画面Ｐ５１〜Ｐ５４の各々に、選択された地区の概観図（同図（ｂ）中「選択ｎ」で示す）と、該選択された地区に隣接する３地区の概観図とを表示するものである。また、この「フロア縮小表示」において発報があった場合には、同図（ｃ）に示すような「出火階縮小表示」に変更される。「出火階縮小表示」は、４分割された分割画面Ｐ５１〜Ｐ５４のうち３つの分割画面Ｐ５２、Ｐ５１、Ｐ５４に、発報地区の概観図、発報地区の直上地区の概観図、発報地区の直下地区の概観図（同図（ｃ）中、「選択階」で示す）を表示するものである。
【０００４】
図９には、従来の受信機に表示される操作スイッチの画像図を示す。
ところで、火災報知システムに備わる受信機は、上面に透明なタッチパネルが設けられた簡易構成の表示部Ｐ２０を備えるのが一般的である。そして、この表示部に火災報知システムの各種設定や制御命令を選択する操作スイッチＰ３０の表示が可能であり、管理者が該操作スイッチを例えば指で接触するなどして操作することで、火災報知システムの各種設定や制御命令を実行することが可能となっている。
従来、上記受信機の表示部Ｐ２０に表示される操作スイッチＰ３０は、接触によりオンとオフとを切換えるトグル式のスイッチであり、操作スイッチＰ３０を切換えるとすぐにその設定が確定してシステムに反映されるものであった。
また、従来の火災表示装置のなかには、上記受信機の操作スイッチを擬似的に表示し、火災表示装置の操作スイッチをポインティングデバイス（例えばマウスやライトペン）等で指示操作（クリックなど）することで、受信機側の操作スイッチを遠隔操作できるものも開発されている。この火災表示装置の操作スイッチは、受信機の操作スイッチと同様に、指示操作によりオンとオフとを切換えるトグル式のスイッチであり、スイッチ操作が行われると直ぐに受信機に伝えられその設定が確定するものであった。表示装置側のスイッチ操作を受信機側の操作スイッチに反映させる技術は、例えば、特開平６−１３１５７８号の警報監視システムの技術において開示されている。
【０００５】
ところで、近年、コンピュータの発達により高度な画像処理を簡単に扱うことが可能となっており、火災報知システムに接続されて監視状況を表示出力する火災表示装置についても、コンピュータ（パーソナルコンピュータや汎用コンピュータなど）を利用することが考えられる。コンピュータを利用した火災表示装置としては、コンピュータを火災表示装置として機能させるソフトウェアを、既存のオペレーションシステムに乗せて実行させるといった形式が一般に考えられる。
【０００６】
【発明が解決しようとする課題】
先ず、上述の「出火階フロア表示」や「出火階縮小表示」に関連して次のような課題がある。
すなわち、従来の「出火階フロア表示」や「出火階縮小表示」では、第１番目の発報があった際に、その発報地区に係る表示が行われるが、２以上の地区から発報があった際には対応できないといった課題を有している。つまり、２以上の地区から発報があった場合でも、第１番目の発報地区に係る表示のみ可能で、第２番目以降の発報地区に係る表示が出力できず、その発報地区について視覚的な認識による状況把握が出来なかった。
【０００７】
また、上述の受信機の操作スイッチや、従来の火災表示装置に備わる前記操作スイッチを遠隔操作する擬似的な操作スイッチに関しては次のような課題がある。
すなわち、受信機だけに操作スイッチがあるシステムでは、火災表示装置の表示画面からその操作を行えないという課題がある。火災表示装置を備えたシステムでは、監視中、管理人は受信機の表示部をほとんど見る必要がなくなり、高度で分りやすい火災表示装置の表示画面を見ながらほとんどの管理を行うようになる。従って、受信機の各種設定や制御指令を行う際に、火災表示装置から離れた受信機まで行き操作するといった作業はとても煩雑なものであった。また、タッチパネル式のスイッチは操作性に優れているとはいえなかった。
また、受信機の操作スイッチや従来の火災表示装置に備わる擬似的な操作スイッチは、タッチ操作によりオンとオフとを切換えるトグル式のスイッチであり、スイッチ操作が行われると直ぐにその設定が確定するものであったため、間違ったスイッチ操作をした場合に、この間違いがシステムにすぐに反映されてしまうといった問題もあった。
【０００８】
また、上述の火災表示装置としてコンピュータを利用する場合には次のような課題が考えられた。
すなわち、コンピュータを利用した火災表示装置では、火災表示装置として機能させるソフトウェアを、既存のオペレーションシステムに乗せて実行させる形式となるため、既存のオペレーションシステムに則って火災表示装置のプログラムを終了させることが容易に可能となる。しかしながら、火災監視は常時行うものであるためプログラムの終了が特別な状況下（例えばメンテナンス時など）以外で行われるのは好ましくない。ちなみに火災報知システムの制御は受信機により行われており、火災表示装置が停止しても安全上の問題はない。従来のコンピュータを利用した火災表示装置では、例えば、管理者以外の者が間違ってプログラムを終了させてしまう等の問題発生が考えられた。
【０００９】
この発明は、上記実状に鑑みてなされたもので、例えば、複数地区の発報に対処して何れの発報地区の視覚的な認識を可能としたり、受信機側の操作スイッチを間違えなく操作性良く遠隔操作可能としたり、火災表示装置が間違って停止されてしまうことをなくすなど、火災表示装置の機能および操作性の向上を目的としている。
【００１０】
【課題を解決するための手段】
上記課題を解決するため、
請求項１記載の発明は、複数地区に渡って火災監視を行う火災報知システムに接続され、表示画面に監視状況に関する表示を行う火災表示装置において、
前記表示画面を分割して第１〜第４表示窓部を生成する画面分割手段と、
第３表示窓部に次のｉ、iiの内容を含んだリスト表示を行うリスト表示手段と、
ｉ  発報のあった地区を示す識別記号をそれぞれ表示する複数のリスト枠
ii  発報のあった地区の数が前記リスト枠の数を上回った場合に、指示操作により少なくとも１個のリスト枠に表示される発報地区の識別記号を発報順にずらすスクロール手段
前記リスト表示内の複数のリスト枠の何れかを選択可能とする選択手段と、
該選択手段により選択されたリスト枠に対応する発報地区の概観表示を第２表示窓部に、選択されたリスト枠に対応する発報地区の直上地区の概観表示を第１表示窓部に、選択されたリスト枠に対応する発報地区の直下地区の概観表示を第４表示窓部に、それぞれ表示する地区概観表示手段と
を備えた構成とした。
【００１１】
この請求項１記載の発明によれば、複数の地区で発報があった場合でも、上記リスト表示のリスト枠に複数の発報地区の識別記号が表示され、これらリスト枠の何れかを選択することで、選択された発報地区とその直上直下の地区の概観表示が行われる。また、発報地区の数がリスト枠の数を上回っても、全ての発報地区をスクロール手段の操作でリスト枠内に表示して選択することが出来る。
つまり、複数の地区の発報に対応して、全ての発報地区について従来と同様の発報地区の縮小概観表示（従来技術で述べた「出火階縮小表示」）を行うことが出来る。従って、複数の地区で発報が生じても全ての発報地区において視覚的な状況認識を行うことが出来る。
【００１２】
ここで、地区とは、一般に建物の棟やその階により区切られた区域を示す。また、１フロアが広い場合には、１フロアを複数に区切る場合もある。発報は、例えば、オンオフ式感知器のオン作動、発信機のオン操作、アナログ感知器の火災報や連動報などであり、またアナログ感知器の注意報を含む場合もある。地区を識別する識別記号は、例えば、地区を識別する名称文字の他、地区を識別可能な記号や標章（マーク）などとしても良い。第１〜第４表示窓部は、表示画面をどのように分割して生成しても良いし、また、その並び順も限定されるものでない。地区の概観表示とは、例えば、地区の平面図上に各種機器（感知器、発信機、防排煙機器および消火機器等）の記号表示およびそれらの作動状況を示す記号表示の色変更などを含んだ表示である。
【００１３】
請求項２記載の発明は、請求項１記載の火災表示装置において、
前記複数のリスト枠に、
常に第１番目の発報のあった地区に対応する第１発報地区リスト枠と、
常に第２番目の発報のあった地区に対応する第２発報地区リスト枠と、
第３番目以降の発報地区に対応し、前記スクロール手段により対応する地区がずらされる第３発報以降リスト枠と
が含まれている構成とした。
【００１４】
この請求項２記載の発明によれば、火災監視上重要とされる第１番目の発報地区や第２番目の発報地区に関しては、スクロール手段の操作でスクロールされることがなく、常にリスト枠内に表示され直ぐに選択可能なので、火災監視上において操作性に優れている。
【００１５】
請求項３記載の発明は、請求項１又は２に記載の火災表示装置において、
発報のあった地区が復旧された場合に、該地区以降に発報した地区の発報の順番を繰り上げると共に、該繰り上げに基づいて前記複数のリスト枠と発報地区との対応関係を自動的に変更する更新手段と、
発報のあった地区が復旧されて発報地区の数が前記リスト枠の数以下になった場合に前記スクロール手段を消去するボタン消去手段と
を備えた構成とした。
【００１６】
少ないリスト枠に対して多くの発報地区をスクロールにより表示可能とした場合、リスト枠の表示から外れている隠れた発報地区が何個あるのかは一般に分らない。更に、発報は解除されて復旧される場合があり、発報地区の数は増減の両方向に変化する。そこで、この請求項３記載の発明によれば、発報が復旧されて発報地区が少なくなった場合に、発報の順番を繰り上げて対処できると共に、リスト枠より少くなってリスト枠の表示されていない隠れた発報地区がなくなった場合には、スクロール手段が消去されるので、オペレータはこの消去を視認して残りの発報地区数を認識することが出来る。スクロール手段を操作して残りの発報地区がないか確認するのに較べてその操作性は良好である。
また、復旧されて発報地区の数が前記リスト枠の数になってスクロール手段を表示したままにすると、スクロール手段を操作したにも拘らずリスト枠内の識別名がスクロールされないので、故障と間違われる可能性があるが、スクロール手段を消去することでこの不具合も回避できる。
【００１７】
なお、スクロール手段の消去は、画面からまったく消去する形式や、灰色等に掠めた表示にすることで消去を意味する形式としても良い。
【００１８】
請求項４記載の発明は、請求項１〜３の何れかに記載の火災表示装置において、
タッチスイッチ式の複数の操作スイッチが表示される表示パネル部、および、前記操作スイッチをタッチすることで火災報知システムの設定操作を行う設定手段を備えた受信機に接続された場合に、前記表示画面に次のiii、ivの内容を含んだスイッチ表示窓を表示するスイッチ表示窓表示手段と、
iii 前記受信機の複数の操作スイッチにそれぞれ対応し、それぞれオン／オフが選択操作可能な複数のチェック枠
iv  前記複数のチェック枠のオン／オフの選択を確定させる確定ボタン
前記複数のチェック枠に選択されたオン／オフの情報に応じて、これらチェック枠に対応した前記操作スイッチをオン／オフさせる操作スイッチ変換信号を生成する信号生成手段と、
前記スイッチ表示窓の確定ボタンの指示操作に基づき、該指示操作時でのチェック枠の選択に応じた操作スイッチ変換信号を受信機に送信して、前記複数のチェック枠の選択を前記受信機の操作スイッチに反映させる操作スイッチ変更手段と
を備えた構成とした。
【００１９】
この請求項４記載の発明によれば、火災表示装置の表示画面を見ながら受信機側の操作スイッチを操作できるので、操作スイッチを操作するときだけ受信機に行かねばならない場合に較べて操作性が向上している。更に、火災表示装置のチェック枠をオン／オフしても、直ぐには受信機側の操作スイッチに反映されず、確定ボタンを操作して初めて受信機側の操作スイッチに反映されるので、反映させる前に確認が効き操作ミスを極力減らすことが出来る。
【００２０】
請求項５記載の発明は、請求項４記載の火災表示装置において、
前記スイッチ表示窓表示手段が、前記表示画面に火災の監視状況に関する何れの表示が行われている場合でも、前記スイッチ表示窓を表示可能である構成とした。
【００２１】
この請求項５記載の発明によれば、火災表示装置の表示状態に拘らずスイッチ操作が行えるので、急を要するスイッチ操作や表示内容を変更させたくない場合のスイッチ操作も可能であり、俊敏性および操作性が向上される。
【００２２】
請求項６記載の発明は、請求項４又は５に記載の火災表示装置において、
前記スイッチ表示窓が、少なくとも移信信号の停止に係る移信停止グループ、消火栓の連動停止に係る消火栓連動停止グループ、防排煙機器の連動停止に係る防排煙連動停止グループの、各グループに前記複数のチェック枠を分類すると共に、各グループ毎に選択表示可能なタブ表示形式である構成とした。
【００２３】
この請求項６記載の発明によれば、チェック枠が同じ系列のグループで分類され、各グループ毎に選択表示される形式なので、チェック枠の操作を整理した状態で行うことができ、操作ミス（間違って他のチェック枠を変更するなど）がより防止され、チェック枠の状態確認も整然と行うことが出来る。
【００２４】
請求項７記載の発明は、請求項４〜６の何れかに記載の火災表示装置において、
前記複数のチェック枠の何れかがオンの状態で、前記操作スイッチ変更手段により前記複数のチェック枠の選択が前記受信機の操作スイッチに反映された場合に、前記受信機に設けられたスイッチ注意灯が作動される構成とした。
【００２５】
この請求項７記載の発明によれば、火災表示装置側から受信機の操作スイッチを遠隔操作した場合に、受信機側にいる人に対して注意を施すことが出来る。
【００２６】
請求項８記載の発明は、請求項１〜７の何れかに記載の火災表示装置において、
前記火災の監視状況に関する表示処理を終了する終了手段と、
該終了手段により表示処理が終了される前に、該終了を許可するパスワードの入力を要求するパスワード要求手段と
を備えた構成とした。
【００２７】
この請求項８記載の発明によれば、例えば、コンピュータを利用した火災表示装置などにおいて、火災表示装置のプログラムを終了させる場合にパスワードの要求が必要なので、管理者以外の者が間違ってプログラムを終了させてしまう等の不具合を防ぐことが出来る。
【００２８】
【発明の実施の形態】
以下、この発明の実施の形態について、図１〜図６の図面を参照しながら説明する。
図１は、本発明の実施の形態の火災表示装置が備わる火災報知システムの全体構成を示す概要図である。
この発明の実施の形態の火災表示装置１は、複数の棟や複数のフロアに渡って火災の監視および報知を行う火災報知システム１００に接続され、受信機２からのデータに基づき火災監視の状況をさまざまな明度と色を用いて品質良く表示するものである。
【００２９】
この実施の形態で例示する火災報知システム１００は、複数系統の幹線Ｌ１〜Ｌｎを備えた受信機２と、これら幹線Ｌ１〜Ｌｎに直接又は中継器３０〜３０ｍを介して接続される端末器等から構成されるものである。
端末器としては、幹線に直接接続される例えばアナログ式の感知器４４，４５やセンサ４６、中継器３０〜３０ｍを介して接続されるオン・オフ式の感知器３１〜３３、防排煙機器３４〜３８、地区ベル４１や発信機４２、その他の機器（室外表示灯４３、アラーム弁３９、鍵管理器４０、消火栓）などがある。各端末器は、各地区（各棟の各フロア）毎に必要数設置され、各地区の火災の検知や防排煙または消火等を行う。
受信機２は、幹線Ｌ１〜Ｌｎに直接接続された端末器や各端末器を接続した中継器３０〜３０ｍ等とポーリング方式の通信を行い、各感知器やセンサの状態により火災の監視を行うと共に、火災等があった場合に地区ベル４１等により火災発生の報知を行ったり防排煙機器３４〜３８や消火栓を作動させたりする。
【００３０】
火災表示装置１は、火災報知システム１００の監視状況を表示出力する火災表示システムとして機能するもので、ＣＰＵ（central processing unit）やＲＡＭ（random access memory）および大容量記憶媒体等を有するコンピュータ（パーソナルコンピュータや汎用コンピュータ等）１１、並びに、ＣＲＴ（陰極線管）や液晶パネル等の表示装置１５等から構成される。コンピュータ１１には、キーボード（キー入力装置）１２、選択手段を構成するポインティングデバイス（指示入力装置）であるマウス１３、および、プリンター１４などが接続されている。
コンピュータ１１は、インターフェース（例えばＲＳ−２３２Ｃ規格のインターフェース）を介して火災報知システム１００の受信機２に接続され、常に相互間のデータ送受信が可能になっている。
【００３１】
受信機２からは、受信機２に接続された各端末器の動作イベントがあった場合に、該イベント情報がコンピュータ１１に送信される。各端末器の動作イベントとしては、例えば、オン・オフ式の感知器３１〜３３や発信機４２の発報および復旧、アナログ感知器４４，４５やセンサ４６からの注意報、火災報又は連動報の発報ならびに復旧、防排煙機器３４〜３８や消火栓等の作動、並びに、幹線Ｌ１〜Ｌｎの故障などがある。
一方、コンピュータ１１からは、オペレータによる後述のスイッチウインドウの操作時に、各スイッチのオン・オフ情報が含まれる操作スイッチ変換信号としてのスイッチデータ信号が受信機２側に送信される。
コンピュータ１１は、上記受信機２から送信される各端末器のイベント情報に基づき監視状況を認識すると共に、該イベント情報に基づき監視状況が視覚的に認識し易い画像データを作成して表示装置１５に出力する。それにより、表示装置１５から、監視状況を示す画像がさまざまな明度と色とを用いて品質良く表示される。
【００３２】
以下、上記火災表示装置１の表示装置１５に出力される表示内容について説明する。これら表示内容は、火災表示装置１を火災表示システムとして機能させる制御プログラムおよび制御データに従って、コンピュータ１１内のＣＰＵにより生成されるものである。火災表示システムの制御プログラムは、例えば、既存のオペレーションシステム上で実行されるものであり、オペレータによる火災表示システムの呼び出し操作に基づきＲＡＭ上に読み出されて実行される。この火災表示システムの制御プログラムや制御データはコンピュータ１１内の記憶媒体に記憶されている。
【００３３】
図２は、火災表示システムの一表示例を示す画像図、図３は、火災表示システムのメニューの内容を示す画像図である。
火災表示システムの基本画面には、火災表示システムのウインドウ（表示窓）であることを示すタイトルバー５１、各種選択可能なメニューを内包したメニューバー５２、操作ボタンが設けられたツールバー５３、監視状況の表示などを行う主ウインドウ５４、および、受信機２から送信されるイベント情報を文字出力するイベントバー５５などが備わっている。
【００３４】
先ず、メニューバー５２について説明する。
メニューバー５２には、図３に示すように、発報があった場合に表示される出火フロア表示の表示態様を選択する「出火階」メニューや、受信機２側の操作スイッチを遠隔操作する際に使用する「スイッチ」メニュー、並びに、火災表示システムの終了や印字などシステム管理で使用する「管理」メニュー等が設けられている。
「出火階」メニューをオペレータが指示操作（マウスで指し示してクリックするなど）すると、その下に「リスト」、「出火順」、「上下階」の各メニューが現われる。「リスト」はリスト表示としての出火階リスト表示６１（後述）を表示するメニュー、「出火順」は後述の出火順フロア縮小表示の表示に変更するメニュー、「上下階」は本発明の特徴である出火上下フロア縮小表示の表示に変更するメニューである。
【００３５】
「スイッチ」メニューには、同様に「移信停止」「防排煙非連動」「消火栓非連動」「復旧・音響」の各メニューが内包されている。「移信停止」は移信信号の停止に関するスイッチウインドウを、「防排煙非連動」は防排煙機器を非連動にするスイッチウインドウを、「消火栓非連動」は消火栓を非連動にするスイッチウインドウを、それぞれ呼び出すメニューである。「復旧・音響」メニューには、更に「復旧」「主音響停止」「地区音響停止」「非常放送移報停止」の各メニューが内包されている。
「復旧」と「主音響停止」とは、受信機２に備わる復旧スイッチと主音響停止スイッチとをそれぞれオンにするためのメニューである。オペレータがこれらのメニューを選択すると、一旦、選択を確認する対話形式のメッセージ（ダイアログボックスとも云う）が表示出力され、選択が確かであることを示すボタンをオペレータが指示操作すると、コンピュータ１１から受信機２に復旧スイッチ又は主音響停止スイッチをオンにするスイッチデータ信号が送信される。受信機２にこれらスイッチデータ信号が送信されると、受信機２の制御部により復旧スイッチ又は主音響停止スイッチがオンにされる。
【００３６】
「地区音響停止」と「非常放送移報停止」とは、受信機２に備わる地区音響停止スイッチと非常放送移報停止スイッチとを遠隔操作するためのメニューである。地区音響停止スイッチと非常放送移報停止スイッチとの現時点の状態を示すデータは受信機２からコンピュータ１１側に送信されており、これらスイッチのオンオフの状態が各メニューの横にチェックマークとして表示されている（チェックマークが表示されていればオン状態）。オペレータがこれらメニューを選択すると、選択した時点で地区音響停止スイッチと非常放送移報停止スイッチのオン／オフを切り替えるスイッチデータ信号がコンピュータ１１から受信機２に送信される。受信機２にこれらスイッチデータ信号が送信されると、受信機２の制御部により地区音響停止スイッチと非常放送移報停止スイッチがオン／オフに切り替えられる。と同時に、「地区音響停止」又は「非常放送移報停止」メニュー横のチェックマークが反転（表示と非表示との間で反転）される。
【００３７】
「管理」メニューには、「時計」「印字」「終了」の各メニューが内包されている。「時計」と「印字」とは、それぞれ時間の設定と画面印刷をするためのメニューである。「終了」は、この火災表示システムのプログラムを終了させるためのメニューである。
【００３８】
図４は、火災表示システムにより表示される出火フロア縮小表示の一つである出火階リスト縮小表示の画像図である。
何れかの地区において感知器が発報（アナログ感知器の注意報も含む）すると、図２に示すように該発報の発生した地区（以下、出火フロアと呼ぶ）の概観を示すフロア表示（概観表示）が自動的に行われる。フロア表示は、間取り図上に部屋名と端末器を示す記号とを表示したものであり、発報した感知器や作動した防排煙機器の記号が色の変更により示される。
このような発報があった場合に、オペレータが「出火階」メニューの「上下階」メニューを選択すると、図４に示すような出火階リスト縮小表示が行われる。出火階リスト縮小表示（図４）は、主ウインドウ５４を４分割し、右上の分割ウインドウ（表示窓部）５４Ａにリスト表示としての出火階リスト表示６１を、左下の分割ウインドウ５４Ｂに出火階のフロア表示６２を、左上の分割ウインドウ５４Ｃに出火階の直上階のフロア表示６３を、右下の分割ウインドウ５４Ｄに出火階の直下階のフロア表示６４を、それぞれ行うものである。これら主ウインドウ５４を４分割する機能（画面分割手段）や出火階リスト表示を表示するリスト表示手段は、火災表示システムのプログラム中に含まれているもので記憶媒体に記憶されている。
【００３９】
出火階リスト表示６１には、出火階リスト表示であることを示すタイトルバー６１ａ、出火フロアの名称文字（識別記号）が表示される第１〜第３のリスト枠６１Ａ〜６１Ｃ、出火直上階リスト枠６１Ｊ、出火直下階リスト枠６１Ｋ、表示ボタン６１Ｅ、中止ボタン６１Ｆ、スクロール手段としてのスクロールボタン６１Ｈが備わっている。
これらの内、第１のリスト枠６１Ａは、第１発報地区リスト枠であり第１番目の発報があった出火フロアの名称記号が表示される。第２のリスト枠６１Ａは、第２発報地区リスト枠であり第２番目の発報があった出火フロアの名称が表示される。第３のリスト枠６１Ｃは、第３発報以降リスト枠であり第３番目以降（例えば第３０番目まで）の発報があった出火フロアの名称が表示可能になっている。
【００４０】
また、第１〜第３のリスト枠６１Ａ〜６１Ｃは、マウス１３でポインタを合わせて指示操作（クリック）することで、それぞれ選択可能になっており、選択された何れか１個のリスト枠６１Ａ（６１Ｂ，６１Ｃ）が、例えばオレンジ色に変更される。すなわち、これらの機能およびマウス１３が選択手段を構成するものである。
発報のあった出火フロアが３個より多くなると、スクロールボタン６１Ｈが現われる。そして、該スクロールボタン６１Ｈを指示操作することで、第３のリスト枠６１Ｃに表示される出火フロアの名称が、第３番目の出火フロア〜第ｎ番目の出火フロアへと、或いは、第ｎ番目の出火フロア〜第３番目の出火フロアへと、１個ずつ変更される。
また、第３のリスト枠６１Ｃが選択されている状態で、スクロールボタン６１Ｈを指示操作すると、第３のリスト枠６１Ｃに表示される出火フロアの変更と同様に、選択された出火フロアも変更されていく。
【００４１】
また、発報した感知器やセンサが復旧して出火フロアから発報がなくなった場合には、該出火フロア以降に発報した出火フロアの発報の順番を繰り上げると共に、該繰り上げに基づいて第１〜第３のリスト枠６１Ａ〜６１Ｃに表示される出火フロアの名称も自動的に変更される。更に、復旧が進んで、発報のあった出火フロアの数が４個以上から３個に減った場合には、スクロールボタン６１Ｈが消去（使用不可を示す灰色への変更も含む）される。これら、復旧に関して発報順を繰り上げる機能（更新手段）、および、スクロールボタンを消去する機能（ボタン消去手段）は、火災報知システムのプログラム中に含まれているものであり記憶媒体に記憶されている。
【００４２】
出火直上階リスト枠６１Ｊと出火直下階リスト枠６１Ｋとは、第１〜第３のリスト枠６１Ａ〜６１Ｃのうちで選択されているリスト枠の出火フロアを基礎として、その直上階と直下階の地区名称がそれぞれ表示されるものである。当然ながら、第１〜第３のリスト枠６１Ａ〜６１Ｃの選択を変更することで、出火直上階リスト枠６１Ｊと出火直下階リスト枠６１Ｋとに表示される地区名称もそれに伴い変更される。
表示ボタン６１Ｅは、選択されているリスト枠の出火フロアを図２に示す標準画面で表示するためのボタン、中止ボタン６１Ｆは、出火階リスト縮小表示の前の画面に戻るためのボタンである。
【００４３】
左下の分割ウインドウ５４Ｂに表示される出火階のフロア表示６２は、第１〜第３のリスト枠６１Ａ〜６１Ｃで選択されている出火フロアのフロア表示である。そのタイトルバー６２ａには、第何番目の出火フロアかを示す例えば「第１出火階」の文字表示と地区名称とが表示される。また、リスト枠６１Ａ〜６１Ｃの中で選択されているリスト枠の色と、タイトルバー６２ａの色とを一致させて直感的に関連づけられるようになっている。
左上の分割ウインドウ５４Ｃに表示される出火階の直上階のフロア表示６３と、右下の分割ウインドウ５４Ｄに表示される出火階の直下階のフロア表示６４とは、それぞれ出火階リスト表示６１の出火直上階リスト枠６１Ｊに示された地区と出火直下階リスト枠６１Ｋに示された地区のフロア表示である。それらのタイトルバー６２ａには、それぞれ出火フロアの直上階と直下階とを示す「出火上階」および「出火下階」の文字表示と地区名称とが表示される。
【００４４】
第１番目の出火フロアの表示から、第ｎ番目の出火フロアの表示に変更したい場合には、例えば、上述のようにスクロールボタン６１Ｈを操作して第３のリスト枠６１Ｃに第ｎ番目の出火フロアの名称を表示させ、第３のリスト枠６１Ｃを選択操作することで（第２番目の出火フロアの場合には第２のリスト枠６１Ｂを選択操作することで）、分割ウインドウ５４Ｂに選択された出火フロアのフロア表示が、分割ウインドウ５４Ｃ，５４Ｄに選択された出火フロアの上階と下階のフロア表示が行われる。
【００４５】
また、上述のような発報があった場合に、オペレータが「出火階」メニューの「リスト」メニューを選択すると、画面を４分割にする縮小表示は行わずに、図２に示すような標準大のフロア表示の上に上記の出火階リスト表示６１が行われる。そして、出火階リスト表示６１で任意の出火フロアを選択すると、該出火フロアに係る標準大のフロア表示がなされる。
【００４６】
図５には、火災表示システムにより表示される出火フロア縮小表示の一つである出火順フロア縮小表示の画像図である。
上述のような発報があった場合に、オペレータが「出火階」メニューの「出火順」メニューを選択すると、図５に示すような出火順フロア縮小表示が行われる。
出火順フロア縮小表示（図５）は、主ウインドウ５４を４分割し、左上の分割ウインドウ５４Ｃから右下の分割ウインドウ５４Ｄに架けて、第１番目〜第４番目に発報のあった出火フロアのフロア表示６６〜６９をそれぞれ行うものである。フロア表示６６〜６９のタイトルバー６６ａ〜６９ｄには、それぞれ出火フロアの地区名称が表示される。
また、発報した感知器やセンサが復旧して出火フロアから発報がなくなった場合には、当該出火フロア以降に発報した出火フロアの発報の順番を繰り上げると共に、該繰り上げに基づいて４つの分割ウインドウ５４Ａ〜５４Ｄに表示される出火フロアも自動的に変更される。
【００４７】
図６は、火災表示システムにより表示されるスイッチウインドウ７０を示す画像図である。
このスイッチウインドウ７０は、「スイッチ」メニュー（図３）の「移信停止」「防排煙非連動」「消火栓非連動」の何れかのメニューを選択することで、表示画面上に表示される。メニューバー５２は、火災表示システムの実行中常に表示されるようにしておき、且つ、「スイッチ」メニューも常に選択可能になっている。それゆえ、スイッチウインドウ７０の表示は、火災表示システムの実行中常に出力可能となる。
【００４８】
スイッチウインドウ７０は、タブ表示形式により「防排煙非連動」「消火栓非連動」「移信停止」「シリアル移信停止」の各タブ７１〜７４によりスイッチがグループ分けされている。「防排煙非連動」のタブ７１には感知器の発報（アナログ感知器の場合は連動報）に対する防排煙機器の連動を解除する複数のスイッチが含まれ、各防排煙機器毎にチェック枠（チェックボックスとも云う）が設けられている。「消火栓非連動」のタブ７２には感知器の発報に対する消火栓の連動を解除する複数のスイッチが含まれている。「移信停止」のタブ７３には感知器の発報に対する移信（火災報知のための信号出力）を停止する複数のスイッチが含まれ、各移信信号を送信する機器（ハロン盤、エンジン盤、非常放送、中央監視盤、副受信機、コントロール盤）毎にチェック枠７３ａ〜７３ｆが設けられている。「シリアル移信停止」のタブ７４には、前述した「復旧・音響」メニュー（図２）にある「復旧」「主音響停止」「地区音響停止」「非常放送移報停止」のスイッチが含まれている。
なお、これらの各スイッチは、従来の技術で示したように、受信機２に備わる各操作スイッチに対応するものであり（図９参照）、受信機２の種類や火災報知システム１００の態様に応じて異なるものである。
【００４９】
オペレータは、スイッチウインドウ７０が表示された状態で、「防排煙非連動」「消火栓非連動」「移信停止」「シリアル移信停止」の各タブ７１〜７４を指示操作（クリック等）することで、各タブのスイッチを前面側に表示することも出来る。
その他、スイッチウインドウ７０には、確定ボタンとしての「ＯＫ」ボタン７６や「継続」ボタン７７、取り消しボタンとしての「中止」ボタン７８，７８ａが備わっている。
【００５０】
各スイッチの操作方法は次に示すごとくである。ここでは「移信停止」グループのスイッチを例に説明する。
先ず、「スイッチ」メニュー（図３）の「移信停止」メニューを選択すると、選択された「移信停止」のタブ７３のグループが前面にされた状態でスイッチウインドウ７０が表示される（図６参照）。受信機２側のスイッチが既にオン状態にあるものは、チェック枠７３ａ〜７３ｆのうち対応するものにチェックマークが付けられた状態で表示され、受信機２側のスイッチがオフ状態にあるものは、チェック枠７３ａ〜７３ｆの対応するものにチェックマークが入っていない状態で表示される。
オペレータは、この状態で切り替えたいスイッチに対応するチェック枠７３ａ〜７３ｆに指示操作を行うことで、当該チェック枠７３ａ〜７３ｆのチェックマークを反転（マーク付きからマーク無しに、或いはマーク無しからマーク付きに）する。反転した状態では、まだ受信機２側の操作スイッチに影響はない。オペレータは、全てのチェック枠７３ａ〜７３ｆについて所望の変更がなされたか確認して、確認後に「ＯＫ」ボタン７６又は「継続」ボタン７７を指示操作する。
【００５１】
「ＯＫ」ボタン７６又は「継続」ボタン７７が操作されると、コンピュータ１１内部でスイッチウインドウ７０の各スイッチの状況が認識されると共に、各スイッチのオン／オフを示すスイッチデータ信号が生成されて受信機２側に出力される。
スイッチデータ信号は、例えば、各スイッチを示すスイッチ名データと、スイッチのオン／オフを示すオン／オフデータとを、全てのスイッチについてシリアル化したデータ信号である。なお、スイッチデータ信号として、変更のあったスイッチのみのスイッチ名データとオン／オフデータとにより構成することも可能である。
これらスイッチデータ信号を生成する機能（信号生成手段）、および、スイッチデータ信号を送信する機能（操作スイッチ変更手段）は、火災表示システムのプログラムに含まれているものであり記憶媒体に記憶されている。
【００５２】
受信機２側では、上記スイッチデータ信号を受信して、該スイッチデータ信号に基づき内部の操作スイッチを切り替える。具体的には、各操作スイッチのオン／オフを示すＲＡＭ内のフラグをスイッチデータ信号に基づいて切り替える。この切り替えにより、受信機２側で操作スイッチが切り替えられたのと同様に作用されて火災報知システム１００の状態が変更される。
更に、受信機２の操作スイッチにおいてオン状態のスイッチがある場合には、受信機２側の制御部の判別処理により受信機２のスイッチ注意灯２２が作動（点灯或いは点滅）される。
上記「ＯＫ」ボタン７６又は「継続」ボタン７７の操作の際、「ＯＫ」ボタン７６を操作した場合には、操作後にスイッチウインドウ７０は画面上から消える。一方、「継続」ボタン７７を操作した場合には、操作後もスイッチウインドウ７０は消えずに、スイッチの変更操作を継続することが出来る。また、「中止」ボタン７８（又は７８ａ）を操作した場合には、スイッチデータ信号の生成および送信が行われないままスイッチウインドウ７０が消される。
【００５３】
図７、火災表示システムにより表示される終了ウインドウ８０を示す画像図である。
この終了ウインドウ８０は、「管理」メニュー（図３）の「終了」メニューを選択することで表示画面上に表示される。
「終了」メニューは、火災表示システムを終了するためのメニューであるが、該メニューを選択しただけでは火災表示システムは終了されず、終了前に、該終了ウインドウ８０が表示されパスワード入力が求められる。これら火災表示システムを終了させる機能（終了手段）およびパスワード入力を求める機能（パスワード要求手段）は、火災表示システムのプログラム中に含まれているものであり記憶媒体に記憶されている。
オペレータがパスワードを知っていれば、パスワード入力部８１にパスワードをキー入力してリターンキーを押すことで、終了が認められて火災表示システムが終了される。一方、パスワードを知らない場合には終了することは出来ず、キャンセルボタン８２を押して終了ウインドウ８０を消去して以前の画面に戻される。
【００５４】
以上のように、この実施の形態の火災表示装置１によれば、複数の地区で発報があった場合でも、出火階リスト表示６１で任意の出火フロアが選択可能であり、この選択された出火フロアについて従来と同様の出火階縮小表示を行うことが出来る。従って、複数の地区で発報が生じても全ての発報地区において視覚的な状況認識を行うことが出来る。
また、出火階リスト表示６１において、火災監視上重要とされる第１番目の発報地区や第２番目の発報地区に関しては、スクロールボタン６１Ｈの操作でスクロールされることがなく、常に第１と第２のリスト枠６１Ａ，６１Ｂ内に表示されており直ぐに選択可能な状態にあるので、火災監視上において操作性に優れている。
また、発報が復旧されて出火フロアの数は増減の両方向に変化するが、出火階リスト表示６１においては、出火フロアが復旧された場合に他の出火フロアの発報の順番が繰り上げられて扱われるので、現時点で発報状態にある重要な地区だけ取り扱うことが出来る。また、出火フロアの数がリスト枠の数以下になったらスクロールボタン６１Ｈが消去されるので、スクロールボタン６１Ｈを操作して残りの出火フロアがないか確認するのに較べてその操作性が良好である。
【００５５】
また、スイッチウインドウ７０により、火災表示装置１の表示画面を見ながら受信機２側の操作スイッチを操作できるので操作性が向上している。また、確定ボタン（「ＯＫ」ボタンか「継続」ボタン）を操作して初めてスイッチウインドウ７０のスイッチ操作が受信機２側に反映されるので、反映させる前に確認が効き操作ミスを極力減らすことが出来る。また、火災表示装置１での表示状態に拘らずスイッチウインドウ７０を呼び出してスイッチ操作が行えるので、急を要する場合や表示内容を変更させたくない場合でもスイッチ操作が可能であり、俊敏性および操作性が向上されている。また、スイッチウインドウ７０のチェック枠が同じ系列のグループで分類され、各グループ毎に選択表示されるタブ表示形式なので、チェック枠の操作や確認を整然と行え、操作ミス（間違って他のチェック枠を変更するなど）をより防止することが出来る。また、火災表示装置１側から受信機２の操作スイッチを遠隔操作した場合でも、操作スイッチがオン状態となればスイッチ注意灯２２が点灯するので、受信機２側にいる人に対して注意を施すことが出来る。
また、火災表示システムのプログラムを終了させる場合には、終了ウインドウ８０が呼び出されてパスワードの要求が必要とされるので、管理者以外の者が間違ってプログラムを終了させてしまう等の不具合を防ぐことが出来る。
【００５６】
なお、本発明は、この実施の形態の火災表示装置１に限られるものでなく、発明の主旨を逸脱しない範囲で適宜変更可能である。例えば、火災表示装置が接続される火災報知システムは、この実施の形態で示したタイプのものに限られず、例えば中規模や小規模の火災報知システムに接続しても良い。また、出火階リスト表示６１で示した、リスト枠、スクロールボタンおよびリスト枠の選択の方法、スイッチウインドウ７０で示した、タブ表示の形式、チェック枠および確定ボタンなど、図面に示した具体例に限られず、同様の機能を行うものであれば、どのような形式のものであっても良い。
【００５７】
【発明の効果】
請求項１記載の発明によれば、複数の地区の発報に対応して、全ての発報地区について従来と同様の発報地区の縮小概観表示（従来技術で述べた「出火階縮小表示」）を行うことが出来る。従って、複数の地区で発報が生じても全ての発報地区において視覚的な状況認識を行うことが出来る。
【００５８】
請求項２記載の発明によれば、火災監視上重要とされる第１番目の発報地区や第２番目の発報地区に関しては、スクロール手段の操作でスクロールされることがなく、常にリスト枠内に表示され直ぐに選択可能なので、火災監視上において操作性に優れている。
【００５９】
請求項３記載の発明によれば、発報は解除されて復旧される場合があり、発報地区の数は増減の両方向に変化するが、発報地区が復旧された場合に発報の順番が繰り上げられるので、現時点で発報状態にある重要な地区だけ取り扱うことが出来る。また、発報地区がリスト枠の数以下になったらスクロール手段が消去されるので、発報地区数の認識が容易になり、且つ、スクロール手段の故障と間違われるといった不都合を回避できる。
【００６０】
請求項４記載の発明によれば、火災表示装置の表示画面を見ながら受信機側の操作スイッチを操作できて操作性が向上している。また、確定ボタンを操作して初めて受信機側の操作スイッチに反映されるので、反映させる前に確認が効き操作ミスを極力減らすことが出来る。
【００６１】
請求項５記載の発明によれば、火災表示装置の表示状態に拘らずスイッチ操作が行えるので、急を要する場合や表示内容を変更させたくない場合でもスイッチ操作が可能であり、俊敏性および操作性が向上される。
【００６２】
請求項６記載の発明によれば、チェック枠が同じ系列のグループで分類され、各グループ毎に選択表示される形式なので、チェック枠の操作や確認を整然と行え、操作ミス（間違って他のチェック枠を変更するなど）をより防止することが出来る。
【００６３】
請求項７記載の発明によれば、火災表示装置側から受信機の操作スイッチを遠隔操作した場合に、受信機側にいる人に対して注意を施すことが出来る。
【００６４】
請求項８記載の発明によれば、火災表示装置のプログラムを終了させる場合にパスワードの要求が必要なので、管理者以外の者が間違ってプログラムを終了させてしまう等の不具合を防ぐことが出来る。
【図面の簡単な説明】
【図１】本発明の実施の形態の火災表示装置が備わる火災報知システムの全体構成を示す概要図である。
【図２】同、火災表示装置により実行される火災表示システムの一表示例を示す画像図である。
【図３】同、火災表示システムのメニューを示す画像図である。
【図４】同、火災表示システムにより表示される出火階縮小表示の一つである出火階リスト縮小表示の画像図である。
【図５】同、火災表示システムにより表示される出火階縮小表示の一つである出火順フロア縮小表示の画像図である。
【図６】同、火災表示システムにより表示されるスイッチウインドウを示す画像図である。
【図７】同、火災表示システムにより表示される終了ウインドウを示す画像図である。
【図８】
従来の火災表示装置に表示される縮小地区表示を示す画像図である。
【図９】従来の受信機の表示部に表示される操作スイッチを示す画像図である。
【符号の説明】
１                火災表示装置
２                受信機
１１              コンピュータ
１３              マウス
１５              表示装置
２１              表示部
２２              スイッチ注意灯
５２              メニューバー
５４              主ウインドウ
５４Ａ〜５４Ｄ    分割ウインドウ（第１〜第４表示窓部）
６１              出火階リスト表示（リスト表示）
６１Ａ            リスト枠（第１発報リスト枠）
６１Ｂ            リスト枠（第２発報リスト枠）
６１Ｃ            リスト枠（第３発報以降リスト枠）
６１Ｈ            スクロールボタン（スクロール手段）
７０              スイッチウインドウ
７３ａ〜７３ｆ    チェック枠
７１〜７４        タブ
７６              ＯＫボタン（確定ボタン）
７７              継続ボタン（確定ボタン）
８０              終了ウインドウ
８１              パスワード入力部
１００            火災報知システム
【図１】
0003540168.tif 000002
【図２】
0003540168.tif 000003
【図３】
0003540168.tif 000004
【図４】
0003540168.tif 000005
【図５】
0003540168.tif 000006
【図６】
0003540168.tif 000007
【図７】
0003540168.tif 000008
【図８】
0003540168.tif 000009
【図９】
0003540168.tif 000010